(57)【要約】【課題】本発明の目的は、患者と施術者の重なる手指により既存するリハビリ手袋では得られなかった人同士の温もりを感じる事で、精神的に安心を与えられ、更に患者の回復度を簡単に直接感じ取ることが出来るリハビリ用手袋を提供する事を課題とする。【解決手段】施術者が患者のリハビリを行う為の手袋であり、両者の手指が積層固定され上下に重なり合うことを特徴とする手袋。手袋の手の平の外周を巻回する張力ベルトを設けても良い。【選択図】図１
2016185191.tif 000002
【特許請求の範囲】
【請求項１】
指の屈伸訓練を行うためのリハビリ用手袋であって、
各指の挿入部分の外面に、当該挿入部分に挿入された指を屈伸させるための指、あるいは当該挿入部分に挿入された指によって屈伸する指を固定する固定手段を設けたことを特徴とするリハビリ用手袋。
【請求項２】
固定手段は、該当する手指の挿入部分に縫い付けられた弧状部であることを特徴とする請求項１記載のリハビリ用手袋。
【請求項３】
固定手段は、手指第２指〜第５指挿入部分に縫い付けられた弧状部は、指先から掌に向かい手指の第３関節迄の間に縫製することを特徴とする請求項２記載のリハビリ手袋。
手指第１指挿入部分に縫い付けられた弧状部は、指先から掌に向かい第２関節の間に縫製することを特徴とする請求項２記載のリハビリ手袋。
【請求項４】
弧状部は穴径を調整するための調整手段を有することを特徴とする請求項２記載のリハビリ用手袋。
【請求項５】
指の挿入部分に指が挿入された手の甲と前記固定手段により指が固定された掌、前記指の挿入部分に指が挿入された掌と前記固定手段により指が固定された手の甲、あるいは、前記指の挿入部分に指が挿入された手の手首と前記固定手段により指が固定された手の手首を、互いに重ね合わせて固定するためのベルトを有することを特徴とする請求項１〜３のいずれか一項に記載のリハビリ用手袋。
【発明の詳細な説明】
【技術分野】
【０００１】
本発明は、リハビリに用いる手袋に関するものである。
【背景技術】
【０００２】
国勢調査の結果１９７０年（昭和45年）７．１％高齢化社会、１９９５年（平成７年）１４．５％高齢社会となり人口推移の結果２００７年（平成１９年）２１．５％と超高齢化社会となり総務省発表２０１３年人口の４分の１が高齢者となった。２０２０年（平成３２年）には高齢化率は２９．１％、２０３５年（平成４７年）には３３．４％人口の３人に１人が高齢者になると推定されている。これに伴い脳梗塞・事故・加齢による身体機能の低下の方が増加し、機能回復訓練または、残存機能の維持に努める事となりリハビリ方法が多種・多様にある。
特許文献１には病気や骨折等の怪我によって拘縮した手首関節や指関節の機能を回復させる手リハビリ装置が開示されており、柔軟でモジュール式のリハビリ装置である。この場合、指が麻痺又は拘縮・強縮状態にある患者に対し、機械的に指を折り曲げさせてリハビリを行う装置である。よって、専門的に特別な分野に従事していなくても患者に適用できるように着用が容易で、軽量なリハビリ装置であるが、機械装置であるためそれ相応の場所を必要とし、簡便に利用できないし、また、価格が高くなって一般に購入できづらいという問題もある。
【０００３】
その他、このようなリハビリ装置の使用にはペースメーカー利用者が利用出来ないという問題点があるし。リハビリ装置の使用では機能回復がどの程度改善されたか目視出来るが感じることまでは出来ない。更に拘縮した患者の手指を強制的に折り曲げするだけの機能であるため、患者の回復程度を直接的に患者自身の立場になり判断することが出来ず、また、拘縮を改善するためにどの程度患者の指を折り曲げ訓練すれば良いかを患者自身と共有し判断できないという問題点もあった。
【０００４】
近年、リハビリ患者の指をエアポンプで屈伸されるロポットが販売されている。このロボットでは確かに患者の指を折り曲げによるリハビリを行うことができるように見える。しかしながら、このロボット指屈伸装置では患者がどの程度屈伸できるのか、屈伸する力としてどの程度発揮できるのか、等の回復程度を直接的に施術者が感じ取る迄の判断ができないという問題点もあった。
【先行技術文献】
【特許文献】
【０００５】
【特許文献１】特表２０１３−５２９９３７号公報
【発明の概要】
【発明が解決しようとする課題】
【０００６】
本発明は、疾病により手指の拘縮、麻痺のある方は進行の過程にある患者に対し、早期よりリハビリを行うことで回復効果を判断できるリハビリ用手袋を提供することを課題とする。
【課題を解決するための手段】
【０００７】
本発明は、
（１）指の屈伸訓練を行うためのリハビリ用手袋であって、
各指の挿入部分の外面に、当該挿入部分に挿入された指を屈伸させるための指、あるいは当該挿入部分に挿入された指によって屈伸する指を固定する固定手段を設けたことを特徴とするリハビリ用手袋。
（２）固定手段は、該当する指の挿入部分に縫い付けられた弧状部材であることを特徴とする（１）記載のリハビリ用手袋。
（３）弧状部材は穴径を調整するための調整手段を有することを特徴とする（２）記載のリハビリ用手袋。
（４）指の挿入部分に指が挿入された手の甲と前記固定手段により指が固定された掌、前記指の挿入部分に指が挿入された掌と前記固定手段により指が固定された手の甲、あるいは、前記指の挿入部分に指が挿入された手の手首と前記固定手段により指が固定された手の手首を、互いに重ね合わせて固定するためのベルトを有することを特徴とする（１）〜（３）のいずれか一項に記載のリハビリ用手袋。
である。
【０００８】
本発明の手袋は、施術者が手袋に手を挿入し、この手袋の手指部分に弧状綿織物を縫製し患者の手指を挿入し機能回復訓練を行うものである。同時に患者に自分自身の意思で手指の折り曲げを行うことにより施術者の手指で患者の手指の折り曲げる力の入れ方を感じることができ、どの程度回復したか施術者が直接感じ取る事で患者とリハビリ状況を共有し判断することが出来る。
【０００９】
本発明の手袋は、成人の手の大きさが良い。また、子供の手の大きさであっても良い。
手指の挿入に関しては、手袋側に施術者の手指を挿入し、この手袋の指部分に弧状綿織物を縫い付け固着した側に患者の手指を挿入することが出来る。手袋の素材は、綿、再生繊維、合成繊維、不織布等からなる織物や編み物のように伸縮性があるニットが一番好ましい。更に表面に一般の滑り止め加工を施しても良い。手袋の指部分に固着する弧状部材は、綿、再生繊維、合成繊維、不織布、皮、合成皮等であっても良い。綿ファスナーを使用しても良い。
リハビリをする上で患者の手指が施術者の手指と密着する事で安定したリハビリを行うには、伸縮性のない綿素材が好ましい。
【００１０】
また、手袋に円筒状、フィンガーソックス状で固着する方法であっても良い。
フィンガーソックス状とは例えば図６に手袋の指部分を切り取った形状のものである。
フィンガーソックスとは、手袋の手指先部を切り取った状態を指す。
本発明の手袋は、リハビリ者の掌と手の甲が重なるこれを張力ベルト等で固定することにより更に両者の手が密着し機能回復の過程を直接的に感じ取れる。これにより、患者側の立場にもなりリハビリ計画をより立てやすくなる。
手首関節部分にも、張力ベルト等で固定する。関節の拘縮訓練時にベルトをすることにより施術者と、リハビリ者の手首が安定する。
前記記載の張力ベルトは、天然ゴムが好ましいがベルト状でも、紐状であっても良い。固定用ファスナーを用いて調節固定するのも良い。張力はなくとも固定出来れば良い。
【００１１】
リハビリ手袋は、手袋に弧状、円筒状 又、フインガーソックス状に五本の指に分裂していることが好ましいがこの限りではない。患者自身の状況により変更しても良い。施術者と患者の掌と手の甲の重なる固定と手首の固定を行うことが好ましいが状況によりなくとも良い。
【発明の効果】
【００１２】
患者の機能回復訓練をサポートする手袋であり、専門職でなくとも簡単に着脱できコミュニケーションを取りながら指の屈伸運動が行える。手が重なる事で温もりを感じ精神的にも安心出来るリハビリ手袋を提供することができる。又、回復の過程を患者と施術者、家族等が共感を与えることが出来る。それにより両者にとり大きな励みを与えることが出来る。そこでもっとも大切な事は入院中も、退院後も時間を見つけては出来るリハビリの指導を行うことが出来る。リハビリ手袋を使用する事により専門的なリハビリ時間以外にも継続して運動が可能となる。これにより、社会復帰が早くなる効果を奏する。
【図面の簡単な説明】
【００１３】
【図１】５本指のリハビリ手袋縫製正面図
【図２】５本指のリハビリ手袋・指先円筒状付き、掌・手首ベルト付き縫製正面図
【図３】5本指のリハビリ手袋後面図
【図４】本発明手袋リハビリ実施図
【図５】本発明手袋リハビリ実施図（掌・手首ベルト装着）
【図６】フインガーソックス形状図
【発明を実施するための形態】
【００１４】
本発明を実地例で説明する。
【実施例１】
【００１５】
本発明の手袋を図１に示す。綿製の作業手袋の片側の親指部分に長さ４ｃｍ、アーチ高さが３ｃｍの円弧状綿織物を縫い付け、更に各指に長さ４ｃｍ、アーチ高さ３ｃｍの綿製基布を縫い付けてリハビリ用手袋とした。患者の指を１に示す手指を挿入し、２に施術者の手指を挿入する。これにより、両者の手が重なり合うことになる。このとき施術者の指を折り曲げることにより同時に患者の指も折り曲げられ、これを繰り返すことによりリハビリ患者の指を折り曲げ，屈伸させることにより患者のリハビリ治療を行うことができる。更に患者に自分の意思で指を折り曲げさせることにより、施術者の指でその患者の折り曲げ力を感じることができ、患者の回復程度を測ることができる効果を有する。これにより施術者が直接的に患者の機能回復程度を感じ取ることができ、回復程度を共有することが可能になりリハビリ計画を立てやすく、迅速な回復を図ることができる。
【実施例２】
【００１６】
図２と３には本発明の請求項５に対応する手袋を示す。図1の手袋の各指の先端に幅２ｃｍの面ファスナーからなる指挿入部先端固定部を設けたものである。指挿入部先端固定部も縫製により固着した。指挿入部先端固定部を設けることにより、指の折り曲げリハビリ治療時に指先が固定され、より確実に患者の指の折り曲げを行うことができる。更にも手首に装着する張力ベルトを設けてもよく、この張力ベルトもリハビリ治療時の患者の指の折り曲げの効果を向上させるものである。同時に指先固定具と張力ベルトを併用することにより、手袋の装着が安定して、より高いリハビリ効果が得られる。
【産業上の利用可能性】
【００１７】
本発明の手袋は脳梗塞や事故・麻痺のある方等のベッドサイドにおける早期リハビリ回復から入院中又は、施設入所中の方や在宅においての利用が出来る。病院内での医療機器がある場所での利用も出来る。
【符号の説明】
【００１８】
１    本発明の手袋
２    施術者の指挿入部
３    患者の指挿入部固定部
３’  患者の指挿入部先端固定部
４    縫製固定部
５    手の平張力ベルト
６    手の平用面ファスナーオス
７    手の平用面ファスナーメス
８    手の平張力ベルト固定部
９    手首用張力ベルト
１０  手首用面ファスナーオス
１１  手首用面ファスナーメス
１２  手首用張力ベルト固定部
【図１】
2016185191.tif 000003
【図２】
2016185191.tif 000004
【図３】
2016185191.tif 000005
【図４】
2016185191.tif 000006
【図５】
2016185191.tif 000007
【図６】
2016185191.tif 000008